(57)【要約】【課題】  電線に上方に向かう引張力が作用しても、芯材からの抜け防止を図ることのできる、ポリマー碍子を提供すること。【解決手段】  電線２を固定するスペーサ６よりも、芯材３の上端部側に芯材３から周方向に膨出する金属リング部材５を圧着固定する。これによって、電柱２１に自動車などが衝突して、電柱２１が折れ曲がった場合に、その電柱２１にラインポスト碍子１を介して取り付けられている電線２に、上方向の引張力が作用しても、金属リング部材５がスペーサ６の上方向への移動を規制するので、その金属リング部材５によって、電線２がスペーサ６ごと引き抜かれることを防止することができる。【選択図】    図２
2005079044.tif 000002
【特許請求の範囲】
【請求項１】
高分子製の芯材と、
前記芯材の一端部側に設けられ、電線を固定するための電線固定部と、
前記芯材における前記電線固定部よりも端部に設けられ、前記電線固定部が前記芯材の一端部から抜けることを防止するための抜け防止部材と
を備えていることを特徴とする、ポリマー碍子。
【請求項２】
前記抜け防止部材が、前記芯材の周りに固定されるリング部材であることを特徴とする、請求項１に記載のポリマー碍子。
【請求項３】
前記芯材および前記抜け防止部材がゴム部材で全部または一部被覆されており、前記ゴム部材の周りに、前記電線固定部が設けられていることを特徴とする、請求項１または２に記載のポリマー碍子。
【請求項４】
前記電線固定部が、電線をバインド線で固定するための凹部を備えていることを特徴とする、請求項１〜３のいずれかに記載のポリマー碍子。
【発明の詳細な説明】
【技術分野】
【０００１】
本発明は、ポリマー碍子、詳しくは、ラインポスト碍子などとして用いられるポリマー碍子に関する。
【背景技術】
【０００２】
ラインポスト碍子は、電柱に設けられ、線路の電線を引通して固定するために用いられる碍子であって、近年、繊維強化プラスチック（以下、ＦＲＰと省略する。）を芯材とするポリマー碍子が、軽量、加工容易、汚損特性などに優れた特徴を有することから、広く用いられている。
【０００３】
このようなラインポスト碍子は、通常、芯材の上端部側に、電線を引通すための固定金具が設けられている（特許文献１参照。）。
【０００４】
【特許文献１】特開２００２−２１６５６２号公報
【発明の開示】
【発明が解決しようとする課題】
【０００５】
しかし、たとえば、図３に示すように、電柱２１に自動車などが衝突して、電柱２１が折れ曲がると、電線２には、矢印に示すように、上方に向かう引張力が作用するので、その電柱２１のアーム２２に支持されているラインポスト碍子１においては、芯材の上側端部から、その引張力が作用する電線２が固定金具ごと引き抜かれるおそれがある。
【０００６】
本発明は、このような事情に鑑みなされたものであり、その目的とするところは、電線に上方に向かう引張力が作用しても、芯材からの抜け防止を図ることのできる、ポリマー碍子を提供することにある。
【課題を解決するための手段】
【０００７】
上記の目的を達成するため、請求項１に記載の発明は、ポリマー碍子であって、高分子製の芯材と、前記芯材の一端部側に設けられ、電線を固定するための電線固定部と、前記芯材における前記電線固定部よりも端部に設けられ、前記電線固定部が前記芯材の一端部から抜けることを防止するための抜け防止部材とを備えていることを特徴としている。
【０００８】
このような構成によると、たとえば、電柱の折れ曲がりなどによって、その電柱にポリマー碍子を介して取り付けられている電線に、上方向の引張力が作用しても、抜け防止部材によって、電線が電線固定部ごと引き抜かれることを防止することができる。
【０００９】
請求項２に記載の発明は、請求項１に記載の発明において、前記抜け防止部材が、前記芯材の周りに固定されるリング部材であることを特徴としている。
【００１０】
このような構成によると、抜け防止部材が、芯材の周りに固定されるリング部材であるため、芯材に対するリング部材の簡易な組み付けによって、確実に電線固定部の引き抜きを防止することができる。
【００１１】
また、請求項３に記載の発明は、請求項１または２に記載の発明において、前記芯材および前記抜け防止部材がゴム部材で全部または一部被覆されており、前記ゴム部材の周りに、前記電線固定部が設けられていることを特徴としている。
【００１２】
このような構成によると、芯材および抜け防止部材がゴム部材で被覆される一方、ゴム部材の周りに電線固定部が設けられているので、抜け防止部材を確実に固定することができる。そのため、抜け防止部材によって、電線が電線固定部ごと引き抜かれることを、より一層防止することができる。
【００１３】
また、請求項４に記載の発明は、請求項１〜３のいずれかに記載の発明において、前記電線固定部が、電線をバインド線で固定するための凹部を備えていることを特徴としている。
【００１４】
このような構成によると、電線を、バインド線により、電線固定部の凹部に固定することができる。そのため、簡易なバインド工法によって、電線を確実に電線固定部に固定することができる。
【発明の効果】
【００１５】
以上述べたように、請求項１に記載の発明によれば、抜け防止部材によって、電線が電線固定部ごと引き抜かれることを防止することができる。
【００１６】
請求項２に記載の発明によれば、芯材に対するリング部材の簡易な組み付けによって、確実に電線固定部の引き抜きを防止することができる。
【００１７】
請求項３に記載の発明によれば、抜け防止部材によって、電線が電線固定部ごと引き抜かれることを、より一層防止することができる。
【００１８】
請求項４に記載の発明によれば、簡易なバインド工法によって、電線を確実に電線固定部に固定することができる。
【発明を実施するための最良の形態】
【００１９】
図１は、本発明のポリマー碍子としてのラインポスト碍子の一実施形態を示す側面図、図２は、そのラインポスト碍子の一端部側（上端部側）を示す一部断面側面図である。
【００２０】
図１において、このラインポスト碍子１は、線路の電線２を引通して固定するために用いられるポリマー碍子であって、中実円柱状に形成されたＦＲＰ製の芯材３（図２参照）と、この芯材３を長手方向全体にわたって被覆するゴム部材としてのカバー４（図２参照）と、芯材３の上端部に設けられる抜け防止部材としてのリング部材である金属リング部材５（図２参照）と、芯材３の上端部側かつ金属リング部材５の下端部側であって、金属リング部材５と上下方向において隣り合って設けられる電線固定部としてのスペーサ６と、芯材３の下端部に設けられる支持金具７とを備えている。
【００２１】
金属リング部材５は、図２に示すように、芯材３の外周面とほぼ同一の内周面を有する金属製のリング部材から形成されている。
【００２２】
この金属リング部材５は、その上面が芯材３の上端面と面一となるように、芯材３の上端部に挿入され、ダイスなどによってかしめられることにより、芯材３の周りに圧着固定されている。
【００２３】
また、カバー４は、シリコーンゴムなどからなり、金属リング部材５を含んで（図２参照）、図１に示すように、芯材３を軸方向全体にわたって被覆するように設けられている。このカバー４には、径方向外方に延びる笠状の突部１１が、その軸方向において所定間隔を隔てて複数形成されている。また、カバー４の下端部は、後述するように、支持金具７の支持部８によって芯材３との間において圧着固定されている。
【００２４】
なお、このカバー４におけるスペーサ６の装着位置（金属リング部材５の下側部）には、周方向にわたって凹状に形成されるスペーサ取付部１３が設けられている。
【００２５】
スペーサ６は、硬質ゴムからなり、リング状に形成されている。このスペーサ６には、上下方向中央が内側方向に窪む最深部となる、電線２をバインド線１４で固定するための凹部１２が、周方向にわたって形成されている。また、このスペーサ６は、カバー４のスペーサ取付部１３の周りに嵌合するように装着されている。
【００２６】
支持金具７は、芯材３を支持するための支持部８と、電柱２１に設けられるアーム２２（図３参照）に固定するための軸部９とを備えている。支持部８は、芯材３の下端部が挿入固定される有底円筒形状をなし、芯材３の下端部がカバー４の下端部とともに支持部８に挿入された状態で、ダイスなどによってかしめられることにより、その芯材３の下端部がカバー４の下端部とともに圧着固定されている。
【００２７】
軸部９は、その下端部にねじ山が形成されており、支持金具７の底面と、ねじ山に螺着されるねじ１０との間に、アーム２２（図３参照）を挟持するようにして、電柱２１（図３参照）に取り付け可能に構成されている。
【００２８】
そして、このようなラインポスト碍子１は、たとえば、支持金具７の軸部９が、電柱２１のアーム２２（図３参照）に取り付けられた状態で、図１に示すように、線路の電線２をスペーサ６の凹部１２に受け入れさせて、その状態で、バインド線１４を、それら電線２およびスペーサ６に巻き付ける（縛り付ける）ことにより、電線２を固定するようにして用いられる。
【００２９】
そして、このラインポスト碍子１は、スペーサ６よりも、芯材３の上端部側に芯材３から周方向に膨出する金属リング部材５が設けられているので、たとえば、図３に示すように、電柱２１に自動車などが衝突して、電柱２１が折れ曲がった場合に、その電柱２１に、矢印で示すように、このラインポスト碍子１を介して取り付けられている電線２に、上方向の引張力が作用しても、金属リング部材５がスペーサ６の上方向への移動を規制するので、その金属リング部材５によって、電線２がスペーサ６ごと引き抜かれることを防止することができる。
【００３０】
また、このラインポスト碍子１は、芯材３に対する金属リング部材５の簡易な組み付けによって、確実にスペーサ６の引き抜きを防止することができる。
【００３１】
また、このラインポスト碍子１では、芯材３および金属リング部材５がカバー４で被覆される一方、カバー４のスペーサ取付部１３の周りにスペーサ６が設けられているので、金属リング部材５を確実に固定することができる。そのため、金属リング部材５によって、電線２がスペーサ６ごと引き抜かれることを、より一層防止することができる。
【００３２】
また、このラインポスト碍子１では、電線２を、バインド線１４により、スペーサ６の凹部１２に固定することができる。そのため、簡易なバインド工法によって、電線２を確実にスペーサ６に固定することができる。
【図面の簡単な説明】
【００３３】
【図１】本発明のポリマー碍子としてのラインポスト碍子の一実施形態を示す側面図である。
【図２】図１に示すラインポスト碍子の一端部側を示す一部断面側面図である。
【図３】電柱が折れ曲がった状態を示す説明図である。
【符号の説明】
【００３４】
１      ラインポスト碍子
２      電線
３      芯材
５      金属リング部材
６      スペーサ
１２    凹部
【図１】
2005079044.tif 000003
【図２】
2005079044.tif 000004
【図３】
2005079044.tif 000005